(57)【要約】【課題】複数個の圧着端子を分岐接続する際に用いられる分岐接続用コネクタにおいて、圧着端子同士の電気的接続を安定させ、圧着端子の種類を削減する。【解決手段】分岐接続用コネクタ１は、ハウジング２とカバー３とから構成されている。ハウジング２内には、８個の圧着端子５を収容するための収容室６が形成されている。カバー３の内側底面には、スプリング係止突起１０を介して２個の螺旋状のスプリング１２が取り付けられている。８個の圧着端子５を分岐接続する際には、８個の圧着端子５を収容室６に収容した後、ハウジング２にカバー３を取り付ける。すると、収容室６内の８個の圧着端子５は、スプリング１２によってハウジング２側に弾性的に付勢されるので、各圧着端子５間に接触荷重が生じる。そのため、圧着端子５同士の電気的接続が安定する。汎用の圧着端子５をそのまま使えるので、圧着端子５の種類が削減される。【選択図】図４
2008192387.tif 000002
【特許請求の範囲】
【請求項１】
複数個の圧着端子が収容されるハウジングを備えた分岐接続用コネクタであって、
前記ハウジング内の複数個の圧着端子を付勢して互いに接触させる端子付勢手段が設けられていることを特徴とする分岐接続用コネクタ。
【請求項２】
複数個の圧着端子が収容されるハウジングと、このハウジングに取り付けられるカバーとを備えた分岐接続用コネクタであって、
前記カバーに、前記ハウジング内の複数個の圧着端子を付勢して互いに接触させる端子付勢手段が設けられていることを特徴とする分岐接続用コネクタ。
【請求項３】
前記ハウジングの側面には、前記圧着端子に接続された電線を案内するスリット部が直線状に形成されていることを特徴とする請求項１または２に記載の分岐接続用コネクタ。
【請求項４】
前記ハウジングと前記カバーには、一方に係止突起が設けられているとともに、他方に当該係止突起と係止する係止孔が設けられていることを特徴とする請求項２または３に記載の分岐接続用コネクタ。
【発明の詳細な説明】
【技術分野】
【０００１】
本発明は、ジョイント端子やバスバーコネクタなどの別部品を用いることなく複数個の圧着端子を分岐接続する際に適用するに好適な分岐接続用コネクタに関するものである。
【背景技術】
【０００２】
図１３は従来の分岐接続用コネクタを例示する斜視図である。
【０００３】
従来、複数個の圧着端子が分岐接続されたときに圧着端子同士の電気的接続が安定するように、図１３に示すとおり、各圧着端子５において、弾性接触片８を側板４から突出させて形成していた（例えば、特許文献１参照）。
【特許文献１】実開昭６２−１２０２８７号公報
【発明の開示】
【発明が解決しようとする課題】
【０００４】
しかし、これでは次のような課題があった。
【０００５】
第１に、弾性接触片８が突出しているため、圧着端子５の搬送中に弾性接触片８の変形や破損が生じる場合がある。この場合、圧着端子５同士の電気的接続が不安定となる。
【０００６】
第２に、分岐接続用コネクタ専用の圧着端子５を製造しなければならないので、勢い圧着端子５の種類が増えてしまう。
【０００７】
本発明は、こうした課題を解決することが可能な分岐接続用コネクタを提供することを目的とする。
【課題を解決するための手段】
【０００８】
まず、請求項１に係る分岐接続用コネクタの発明では、複数個の圧着端子が収容されるハウジングを備えた分岐接続用コネクタであって、前記ハウジング内の複数個の圧着端子を付勢して互いに接触させる端子付勢手段が設けられていることを特徴とする。
また、請求項２に係る分岐接続用コネクタの発明では、複数個の圧着端子が収容されるハウジングと、このハウジングに取り付けられるカバーとを備えた分岐接続用コネクタであって、前記カバーに、前記ハウジング内の複数個の圧着端子を付勢して互いに接触させる端子付勢手段が設けられていることを特徴とする。
また、請求項３に係る分岐接続用コネクタの発明では、前記ハウジングの側面には、前記圧着端子に接続された電線を案内するスリット部が直線状に形成されていることを特徴とする。
また、請求項４に係る分岐接続用コネクタの発明では、前記ハウジングと前記カバーには、一方に係止突起が設けられているとともに、他方に当該係止突起と係止する係止孔が設けられていることを特徴とする。
【発明の効果】
【０００９】
本発明によれば、端子付勢手段によって圧着端子間に接触荷重を生じさせることができるため、圧着端子同士の電気的接続を安定させることができる。
【００１０】
また、汎用の圧着端子をそのまま使えるので、圧着端子の種類を削減することができる。
【発明を実施するための最良の形態】
【００１１】
以下、本発明の実施形態を図面に基づいて説明する。
【００１２】
＜第１の実施形態＞
図１は本発明に係る分岐接続用コネクタの第１の実施形態を示す分解平面図、図２は図１の断面図、図３は図１に示す分岐接続用コネクタの組付状態を示す平面図、図４は図３の断面図、図５は図１に示す分岐接続用コネクタの組付状態を示す正面図、図６は図５の断面図である。
【００１３】
分岐接続用コネクタ１は、図１、２に示すように、合成樹脂製の六面体状のハウジング２と、このハウジング２に取り付けられる合成樹脂製の六面体状のカバー３とから構成されている。
【００１４】
ここで、ハウジング２内には、電線１１に接続された８個の圧着端子５を収容するための収容室６が形成されている。また、ハウジング２の上下両面には、図１、６に示すように、係止突起７がそれぞれ突設されており、ハウジング２の片側の側面には、図２、５に示すように、電線１１を挿通するためのスリット部９が直線状に形成されている。
【００１５】
一方、カバー３の内側底面には２個のスプリング係止突起１０が突設されており、各スプリング係止突起１０にはそれぞれ、端子付勢手段として螺旋状のスプリング１２が取り付けられている。また、カバー３の上下両面には、図１、６に示すように、長方形状の係止孔１３がそれぞれ穿設されており、カバー３の片側の側面には、図２、５に示すように、電線１１を挿通するためのスリット部１５が直線状に形成されている。
【００１６】
分岐接続用コネクタ１は以上のような構成を有するので、この分岐接続用コネクタ１を用いて８個の圧着端子５を分岐接続する際には、次の手順による。
【００１７】
まず、図１、２に示すように、ハウジング２にカバー３が取り付けられていない状態で、８個の圧着端子５をハウジング２の収容室６に順に収容する。
【００１８】
このとき、ハウジング２の側面にはスリット部９が形成されているので、各圧着端子５は、各電線１１がスリット部９に案内される形で円滑に収容される。
【００１９】
次に、図３〜６に示すように、ハウジング２にカバー３を取り付ける。すると、ハウジング２の係止突起７がカバー３の係止孔１３に係止されるため、カバー３がハウジング２にロックされるとともに、各スプリング１２が各スプリング係止突起１０と圧着端子５とに挟まれて弾性収縮した状態となる。
【００２０】
このとき、収容室６内の８個の圧着端子５は、スプリング１２によってハウジング２側（図４右側）に弾性的に付勢されるので、各圧着端子５間に接触荷重が生じる。そのため、圧着端子５同士の電気的接続が安定する。しかも、上述したとおり、カバー３はハウジング２にロックされているので、スプリング１２の弾性力が弱まることはなく、圧着端子５同士の電気的接続が安定した状態は持続する。また、ハウジング２には、各電線１１を案内するスリット部９が直線状に形成されているので、図６に示すように、すべての圧着端子５を同一平面状に位置させ、圧着端子５同士の接触面積を最大限に確保することができる。したがって、この点でも、圧着端子５同士の電気的接続を安定させることが可能となる。
【００２１】
ここで、圧着端子５の分岐接続作業が終了する。
【００２２】
このように、この分岐接続用コネクタ１を用いれば、弾性接触片８が側板４から突出した専用の圧着端子５（図１３参照）を使用する必要がなく、汎用の圧着端子５をそのまま使うことができる。したがって、圧着端子５の種類を削減することが可能となる。
【００２３】
なお、分岐接続用コネクタ１は、８個の圧着端子５を収容するためのものであるが、圧着端子５の収容個数は、スプリング１２の弾性限界を超えない範囲で増減させることが可能である。ハウジング２にスリット部９が形成されているのみならず、カバー３にもスリット部１５が形成されているので、圧着端子５の収容個数の増加に対処することができる。
【００２４】
＜第２の実施形態＞
図７は本発明に係る分岐接続用コネクタの第２の実施形態を示す平面図である。
【００２５】
なお、上述した第１の実施形態においては、ハウジング２の片側の側面にスリット部９が形成されているとともに、カバー３の片側の側面にスリット部１５が形成されている場合について説明した。しかし、図７に示すように、ハウジング２の両側の側面にスリット部９、９を形成するとともに、カバー３の両側の側面にスリット部１５、１５を形成するようにしても構わない。この場合、図７に示すように、８個の圧着端子５を分岐接続用コネクタ１の両側（図７上下方向）から供給して分岐接続することができるため、８個の圧着端子５を分岐接続する際の自由度が高くなる。
【００２６】
＜第３の実施形態＞
図８は本発明に係る分岐接続用コネクタの第３の実施形態を示す分解断面図、図９は図８に示す分岐接続用コネクタの組付状態を示す断面図である。
【００２７】
なお、上述した第１の実施形態においては、端子付勢手段として螺旋状のスプリング１２が用いられている分岐接続用コネクタ１について説明した。しかし、このスプリング１２に代えて、図８に示すように、円弧状の板ばね等のばね部１６を端子付勢手段として採用することも可能である。
【００２８】
この場合、図８に示すように、カバー３にばね部１６がハウジング２側（図８右側）に突出するように一体に形成されている。したがって、ハウジング２にカバー３を取り付けると、図９に示すように、ばね部１６が圧着端子５によってカバー３側（図９左側）に押されて縮み、その反作用で圧着端子５がハウジング２側（図９右側）に押し付けられるので、複数個の圧着端子５のガタを吸収することができる。その結果、第１の実施形態と同じ作用効果を奏する。
【００２９】
＜第４の実施形態＞
図１０は本発明に係る分岐接続用コネクタの第４の実施形態を示す分解断面図、図１１は図１０に示す分岐接続用コネクタの組付状態を示す断面図である。
【００３０】
なお、上述した第１の実施形態においては、端子付勢手段として螺旋状のスプリング１２が用いられている分岐接続用コネクタ１について説明した。しかし、このスプリング１２に代えて、図１０に示すように、ブロック状のゴム１７を端子付勢手段として採用することも可能である。
【００３１】
この場合、図１０に示すように、カバー３に円柱状の固定突起１９が一体に形成されており、固定突起１９にはブロック状のゴム１７が装着されている。したがって、ハウジング２にカバー３を取り付けると、図１１に示すように、ゴム１７が圧着端子５によってカバー３側（図１１左側）に押されて少し膨らみつつ縮み、その反作用で圧着端子５がハウジング２側（図１１右側）に押し付けられるので、複数個の圧着端子５のガタを吸収することができる。その結果、第１の実施形態と同じ作用効果を奏する。
【００３２】
＜第５の実施形態＞
図１２は本発明に係る分岐接続用コネクタの第５の実施形態を示す分解断面図である。
【００３３】
なお、上述した第１の実施形態においては、一対の係止突起７がハウジング２に用いられている分岐接続用コネクタ１について説明した。しかし、図１２に示すように、２対以上（図１２では３対）の係止突起７を互いに位置を変えて設けておき、係止孔１３が圧着端子５の収容個数に応じて係止孔１３の係止位置を適宜決定することにより、圧着端子５の収容個数の多寡にかかわらず、そのガタを吸収できるようにすることも可能である。
【００３４】
＜その他の実施形態＞
なお、上述した第１の実施形態においては、カバー３をハウジング２にロックできるようにするため、ハウジング２に係止突起７を設けるとともに、カバー３に係止孔１３を設ける場合について説明したが、逆に、カバー３に係止突起７を設けるとともに、ハウジング２に係止孔１３を設けるようにしても構わない。つまり、ハウジング２とカバー３の一方に係止突起７を設けるとともに、他方に係止孔１３を設ければ、カバー３をハウジング２にロックすることができる。
【００３５】
なお、上述した第１の実施形態においては、カバー３にスプリング１２が取り付けられている場合について説明したが、ハウジング２の収容室６に収容された圧着端子５を弾性的に付勢できる限り、ハウジング２側にスプリング１２を取り付けることも可能である。
【００３６】
なお、上述した第１〜４の実施形態においては、端子付勢手段としてスプリング１２、ばね部１６、ゴム１７を用いる場合について説明したが、これら以外の端子付勢手段を代用することも可能である。
【００３７】
なお、上述した第１の実施形態においては、８個の圧着端子５を分岐接続する場合について説明したが、一般に複数個の圧着端子５を分岐接続する場合に本発明を適用することができる。
【産業上の利用可能性】
【００３８】
本発明は、自動車、航空機、電車、製造プラント、電化製品、ＯＡ機器など各種の産業分野に広く適用することができる。
【図面の簡単な説明】
【００３９】
【図１】本発明に係る分岐接続用コネクタの第１の実施形態を示す分解平面図である。
【図２】図１の断面図である。
【図３】図１に示す分岐接続用コネクタの組付状態を示す平面図である。
【図４】図３の断面図である。
【図５】図１に示す分岐接続用コネクタの組付状態を示す正面図である。
【図６】図５の断面図である。
【図７】本発明に係る分岐接続用コネクタの第２の実施形態を示す平面図である。
【図８】本発明に係る分岐接続用コネクタの第３の実施形態を示す分解断面図である。
【図９】図８に示す分岐接続用コネクタの組付状態を示す断面図である。
【図１０】本発明に係る分岐接続用コネクタの第４の実施形態を示す分解断面図である。
【図１１】図１０に示す分岐接続用コネクタの組付状態を示す断面図である。
【図１２】本発明に係る分岐接続用コネクタの第５の実施形態を示す分解断面図である。
【図１３】従来の分岐接続用コネクタを例示する斜視図である。
【符号の説明】
【００４０】
１……分岐接続用コネクタ
２……ハウジング
３……カバー
４……側板
５……圧着端子
６……収容室
７……係止突起
８……弾性接触片
９……スリット部
１０……スプリング係止突起
１１……電線
１２……スプリング（端子付勢手段）
１３……係止孔
１５……スリット部
１６……ばね部（端子付勢手段）
１７……ゴム（端子付勢手段）
１９……固定突起
【図１】
2008192387.tif 000003
【図２】
2008192387.tif 000004
【図３】
2008192387.tif 000005
【図４】
2008192387.tif 000006
【図５】
2008192387.tif 000007
【図６】
2008192387.tif 000008
【図７】
2008192387.tif 000009
【図８】
2008192387.tif 000010
【図９】
2008192387.tif 000011
【図１０】
2008192387.tif 000012
【図１１】
2008192387.tif 000013
【図１２】
2008192387.tif 000014
【図１３】
2008192387.tif 000015